(57)【要約】      （修正有）【課題】ウエイトを積み重ねる際の位置合わせが容易であるカウンターウエイトを提供する。【解決手段】第１縦枠８３０と第２縦枠８４０の間に配置される複数のウエイト８５０を備え、昇降路内を上下動するエレベータ用カウンターウエイトであって、上面部と下面部と側面部とを有するウエイト８５０が、上面部に、少なくとも側面部を一部とする上面凸部を有し、下面部に、上面凸部が嵌る形状であり、少なくとも側面部を一部とする下面凹部を有し、上面凸部及び下面凹部の第１縦枠側の凸部側面及び凹部側面、第２縦枠側の凸部側面及び凹部側面の少なくともいずれかが斜面であるエレベータ用カウンターウエイト。【選択図】図３
2019196236.tif 000002
【特許請求の範囲】
【請求項１】
第１縦枠と第２縦枠の間に配置される複数のウエイトを備え、昇降路内を上下動するエレベータ用カウンターウエイトであって、
上面部と下面部と側面部とを有する前記ウエイトが、
前記上面部に、少なくとも前記側面部を一部とする上面凸部を有し、
前記下面部に、前記上面凸部が嵌る形状であり、少なくとも前記側面部を一部とする下面凹部を有し、
前記上面凸部及び前記下面凹部の前記第１縦枠側の凸部側面及び凹部側面、前記第２縦枠側の凸部側面及び凹部側面の少なくともいずれかが斜面であるエレベータ用カウンターウエイト。
【請求項２】
第１縦枠と第２縦枠の間に配置される複数のウエイトを備え、昇降路内を上下動するエレベータ用カウンターウエイトであって、
上面部と下面部と側面部とを有する前記ウエイトが、
前記下面部に、少なくとも前記側面部を一部とする下面凸部を有し、
前記上面部に、前記下面凸部が嵌る形状であり、少なくとも前記側面部を一部とする上面凹部を有し、
前記下面凸部及び前記上面凹部の前記第１縦枠側の凸部側面及び凹部側面、前記第２縦枠側の凸部側面及び凹部側面の少なくともいずれかが斜面であるエレベータ用カウンターウエイト。
【請求項３】
前記上面凸部と前記下面凹部との間のクリアランスが、前記ウエイトと前記第１縦枠及び前記第２縦枠との間のクリアランスより小さい請求項１記載のエレベータ用カウンターウエイト。
【請求項４】
前記下面凸部と前記上面凹部との間のクリアランスが、前記ウエイトと前記第１縦枠及び前記第２縦枠との間のクリアランスより小さい請求項２記載のエレベータ用カウンターウエイト。
【請求項５】
前記斜面の水平面に対する角度が４５°以上９０°より小さい角度である請求項１乃至４記載のエレベータ用カウンターウエイト。
【請求項６】
前記斜面の水平面に対する角度が０°より大きく４５°以下の角度である請求項１乃至４記載のエレベータ用カウンターウエイト。
【請求項７】
請求項１乃至６記載のエレベータ用カウンターウエイトを備えるエレベータ。
【発明の詳細な説明】
【技術分野】
【０００１】
本発明は、エレベータ用カウンターウエイト及びそれを備えるエレベータに関する。
【背景技術】
【０００２】
従来、カウンターウエイトの構造は、主に厚板鉄板又は板状の鋳物（ウエイト片、ウエイト）を積み重ねられていた。
【０００３】
一般的に、これらのウエイト（ウエイト片）の位置ずれ防止には、ウエイトに開けられた貫通孔に寸切りボルトを貫通させて行われていた。
【０００４】
しかし、ウエイトに開けられた貫通孔と、寸切りボルトとの間には、クリアランスがあり、ウエイトをバランスよく積み重ねるのに時間がかかるという問題があった。
【０００５】
特許文献１では、ウエイトの上面部に凸部が設けられており、ウエイトの下面部に凹部が設けられているウエイトが開示されている。
【先行技術文献】
【特許文献】
【０００６】
【特許文献１】特開平１０−２５０９５９号公報
【発明の概要】
【発明が解決しようとする課題】
【０００７】
しかしながら、特許文献１に開示されている凹凸部は、長方体状であるため、ウエイトを積み重ねるのに位置合わせが困難であるという問題がある。
【０００８】
また、特許文献１に開示されている凹凸部は、平面視で中央部に凹凸部があり、側面視において凹部と凸部に位置が合っているか判断し難いという問題がある。
【０００９】
また、地震等により凹部と凸部のクリアランス部分で位置ずれが生じた場合、再度位置調整をしなければならないという問題がある。
【００１０】
本発明の目的は、ウエイトを積み重ねる際の位置合わせが容易であるカウンターウエイトを提供することである。
【００１１】
本発明の他の目的は、カウンターウエイトのウエイトの積み重ね作業を容易にすること（作業工数を低減すること）である。
【課題を解決するための手段】
【００１２】
本発明の第１の局面に係るエレベータ用カウンターウエイトは、第１縦枠と第２縦枠の間に配置される複数のウエイトを備え、昇降路内を上下動するエレベータ用カウンターウエイトであって、
上面部と下面部と側面部とを有する前記ウエイトが、
前記上面部に、少なくとも前記側面部を一部とする上面凸部を有し、
前記下面部に、前記上面凸部が嵌る形状であり、少なくとも前記側面部を一部とする下面凹部を有し、
前記上面凸部及び前記下面凹部の前記第１縦枠側の凸部側面及び凹部側面、前記第２縦枠側の凸部側面及び凹部側面の少なくともいずれかが斜面であるエレベータ用カウンターウエイトである。
【００１３】
上面凸部及び下面凹部が、ウエイトの側面に配置されているため、複数のウエイトを積む作業者は、ウエイトがバランスよく積まれているかどうか、ウエイトの位置合わせを視認することができる。
【００１４】
そのため、作業者は外部から正確な位置にウエイトが積まれているかどうか視認できるため、ウエイトの積み重ね作業が容易になる。
【００１５】
また、上面凸部及び下面凹部の側面が斜面になっていることにより、地震等によって積み重ねられたウエイト同士の位置がずれた場合であっても、上側に配置されるウエイトの自重によって、ウエイト同士の位置が元の位置に戻り易くなる。
【００１６】
また、上側のウエイトの自重によらなくても、作業者は容易にウエイトを元の位置に戻すことができる。
【００１７】
本発明の第２の局面に係るエレベータ用カウンターウエイトは、第１縦枠と第２縦枠の間に配置される複数のウエイトを備え、昇降路内を上下動するエレベータ用カウンターウエイトであって、
上面部と下面部と側面部とを有する前記ウエイトが、
前記下面部に、少なくとも前記側面部を一部とする下面凸部を有し、
前記上面部に、前記下面凸部が嵌る形状であり、少なくとも前記側面部を一部とする上面凹部を有し、
前記下面凸部及び前記上面凹部の前記第１縦枠側の凸部側面及び凹部側面、前記第２縦枠側の凸部側面及び凹部側面の少なくともいずれかが斜面であるエレベータ用カウンターウエイトである。
【００１８】
上面凹部及び下面凸部が、ウエイトの側面に配置されているため、複数のウエイトを積む作業者は、ウエイトがバランスよく積まれているかどうか、ウエイトの位置合わせを視認することができる。
【００１９】
そのため、作業者は外部から正確な位置にウエイトが積まれているかどうか視認できるため、ウエイトの積み重ね作業が容易になる。
【００２０】
また、上面凹部及び下面凸部の側面が斜面になっていることにより、地震等によって積み重ねられたウエイト同士の位置がずれた場合であっても、上側に配置されるウエイトの自重によって、ウエイト同士の位置が元の位置に戻り易くなる。
【００２１】
また、上側のウエイトの自重によらなくても、作業者は容易にウエイトを元の位置に戻すことができる。
【００２２】
本発明の第３の局面に係るエレベータ用カウンターウエイトは、第１の局面に係るエレベータ用カウンターウエイトであって、前記上面凸部と前記下面凹部との間のクリアランスが、前記ウエイトと前記第１縦枠及び前記第２縦枠との間のクリアランスより小さいエレベータ用カウンターウエイトである。
【００２３】
上面凸部と下面凹部との間のクリアランスが、ウエイトと第１縦枠及び第２縦枠との間のクリアランスより小さいことにより、ウエイト同士がずれた場合であっても、ウエイトがカウンターウエイトの第１縦枠又は第２縦枠に接触しにくい。
【００２４】
本発明の第４の局面に係るエレベータ用カウンターウエイトは、第２の局面に係るエレベータ用カウンターウエイトであって、前記下面凸部と前記上面凹部との間のクリアランスが、前記ウエイトと前記第１縦枠及び前記第２縦枠との間のクリアランスより小さいエレベータ用カウンターウエイトである。
【００２５】
上面凹部と下面凸部との間のクリアランスが、ウエイトと第１縦枠及び第２縦枠との間のクリアランスより小さいことにより、ウエイト同士がずれた場合であっても、ウエイトがカウンターウエイトの第１縦枠又は第２縦枠に接触しにくい。
【００２６】
本発明の第５の局面に係るエレベータ用カウンターウエイトは、第１の局面乃至第４の局面に係るエレベータ用カウンターウエイトであって、前記斜面の水平面に対する角度が４５°以上９０°より小さい角度であるエレベータ用カウンターウエイトである。
【００２７】
上面凸部及び下面凹部、又は、上面凹部及び下面凸部の側面である斜面の水平面に対する角度が４５°以上９０°より小さい角度である場合、地震等によって上面凸部が下面凹部からずれた場合であってもウエイト同士が元の位置（相対位置）に戻り易い。
【００２８】
本発明の第６の局面に係るエレベータ用カウンターウエイトは、第１の局面乃至第４の局面に係るエレベータ用カウンターウエイトであって、前記斜面の水平面に対する角度が０°より大きく４５°以下の角度であるエレベータ用カウンターウエイトである。
【００２９】
上面凸部及び下面凹部、又は、上面凹部及び下面凸部の側面である斜面の水平面に対する角度が０°より大きく４５°以下の角度である場合、上面凸部と下面凹部の位置合わせ（上面凹部と下面凸部の位置合わせ）が容易となる。
【００３０】
本発明の第７の局面に係るエレベータは、第１の局面乃至第６の局面に係るエレベータ用カウンターウエイトを備えるエレベータである。
【００３１】
このようなエレベータであれば、設置やメンテナンスを行う作業者は、容易にウエイト同士の位置合わせを行うことができ、作業時間を減少させることができ、作業工程も減らすことができる。
【図面の簡単な説明】
【００３２】
【図１】本実施形態に係る一般的なエレベータの斜視図。
【図２】本実施形態に係るエレベータの側面視概略図。
【図３】本実施形態に係るエレベータのカウンターウエイトの側面図。
【図４】本実施形態に係るエレベータのカウンターウエイトの平面図。
【図５】本実施形態に係るエレベータのカウンターウエイトの側面図。
【図６】本実施形態に係るエレベータのカウンターウエイトの側面図。
【図７】本実施形態に係るエレベータのカウンターウエイトの部分斜視図
【発明を実施するための形態】
【００３３】
以下、本発明に係るエレベータ用カウンターウエイト８００の実施形態に関して図面を参照しながら説明する。
【００３４】
（エレベータ１００）
図１及び図２に示すように、エレベータ１００において、昇降路下部には巻上機２００が設置されている。
【００３５】
巻上機２００の駆動シーブ２１０に巻き掛けられたメインロープ２２０の一端部は、かご２３０に取り付けられている第１かごシーブ２３２及び第２かごシーブ２３３を経由して昇降路内に固定されている。
【００３６】
また、メインロープ２２０の他端部にはカウンターウエイト８００に取り付けられているカウンターウエイトシーブ８６０を経由して昇降路内に固定されている。
【００３７】
巻上機２００のモータ（図示しない）によって駆動シーブ２１０が回転駆動すると、これに伴ってメインロープ２２０が走行する。そして、これに伴って第１かごシーブ２３２及び第２かごシーブ２３３が取り付けられているかご２３０が、かごガイドレール３００に案内されて昇降路内を昇降する。
【００３８】
同様に、メインロープ２２０の走行に伴って、カウンターウエイトシーブ８６０が取り付けられているカウンターウエイト８００が、カウンターウエイトガイドレール２４２に案内されて昇降路内を昇降する。
【００３９】
メインロープ２２０の走行の向きは、第１シーブ２１１及び第２シーブ２１２によって変化する。
【００４０】
エレベータ１００には、かご２３０の昇降速度が所定速度を超過したことを機械的に検知する調速機４００が設けられている。調速機４００のガバナシーブ４１０とガバナシーブ４１０の下方に位置するテンションシーブ５００との間には、無端状のガバナロープ６００が巻き掛けられている。
【００４１】
ガバナロープ６００は、テンションシーブ５００によりメインロープ２２０と平行に緊張した状態で張架されている。このガバナロープ６００の一部は、かご２３０側に備えた非常止め装置２３１を作動させる非常止めレバー２５０に固定されている。
【００４２】
このため、ガバナロープ６００は、かご２３０の昇降に同期してかご２３０と同速度で走行する。このとき、ガバナロープ６００の走行速度と同速度で回転させられるガバナシーブ４１０の回転速度を調速機４００が検出することで、昇降中のかご２３０の速度超過が検知される。
【００４３】
かご２３０の昇降速度が定格速度（所定速度）の大きさを超える第１の速度になると、メインロープ２２０の巻上機２００を構成するモータ（図示しない）にブレーキがかけられる。
【００４４】
モータ（図示しない）にブレーキがかかってもかご２３０が停止しない場合、第１の速度を超える所定の第２の速度になると、ガバナシーブ４１０のトリップレバー（図示しない）による可動掴み（図示しない）の支持が解除され、可動掴みによってガバナロープ６００の走行が停止する。
【００４５】
そして、ガバナロープ６００に固定されている非常止めレバー２５０がガバナロープ６００に引っ張られる格好で、かご２３０に対して相対的に引き上げられる。その結果、非常止め装置２３１が作動し、かご２３０が停止する。
【００４６】
非常止め装置２３１が作動することによっても、かご２３０が停止しない場合、かご２３０は、下方に配置されているオイルバッファ７００である第１オイルバッファ７００ａに衝突する。第１オイルバッファ７００ａは、かご２３０の衝撃を吸収して、かご２３０を停止させる。
【００４７】
カウンターウエイト８００の下方にもオイルバッファ７００である第２オイルバッファ７００ｂが配置されている。第２オイルバッファ７００ｂは、カウンターウエイト８００が落下した場合、カウンターウエイト８００の落下による衝撃を吸収して、カウンターウエイト８００を停止させる。
【００４８】
（カウンターウエイト８００）
図３に示すように、カウンターウエイト８００は、ｚ軸正方向側に配置されｘ軸方向に延伸する上枠８１０と、
ｚ軸負方向側に配置されｘ軸方向に延伸する下枠８２０と、
上枠８１０と下枠８２０とを接続し、ｘ軸負方向側に配置される第１縦枠８３０と、
上枠８１０と下枠８２０とを接続し、ｘ軸正方向側に配置される第２縦枠８４０と、
上枠８１０、下枠８２０、第１縦枠８３０及び第２縦枠８４０に囲まれた領域内に配置されるウエイト８５０と、
上枠８１０に取り付けられるカウンターウエイトシーブ８６０と、
下枠８２０に取り付けられるカウンターウエイトスペーサー８７０と、
第１縦枠８３０及び第２縦枠８４０の上下端に取り付けられるガイド装置８８０と、を含む。
【００４９】
上枠８１０は、カウンターウエイト８００の上方に配置され、第１縦枠８３０の第１上端８３１と、第２縦枠８４０の第２上端８４１とに接続される。
【００５０】
上枠８１０は、第１縦枠８３０の第１上端８３１及び第２縦枠８４０の第２上端８４１にボルトにより強固に固定されている。
【００５１】
上枠８１０のｘ軸方向略中央部には、カウンターウエイトシーブ８６０が回転可能に接続されている。
【００５２】
具体的には、上枠８１０は、第１上枠８１１と、第１上枠８１１よりｙ軸正方向側に配置される第２上枠（図示しない）と、を含む。
【００５３】
第１上枠８１１と第２上枠（図示しない）との間に、第１縦枠８３０の第１上端８３１及び第２縦枠８４０の第２上端８４１、並びに、カウンターウエイトシーブ８６０が挟まれる。
【００５４】
第１上枠８１１と第２上枠（図示しない）との間には、カウンターウエイトシーブ８６０からメインロープ２２０が外れ難いようにするためのシーブブラケット８１３が、カウンターウエイトシーブ８６０のｘ軸方向の両端に取り付けられている。
【００５５】
また、第１上枠８１１及び第２上枠（図示しない）のｘ軸方向略中央部には、カウンターウエイトシーブ８６０の一部を覆うシーブカバー８６２が取り付けられている。
【００５６】
下枠８２０は、カウンターウエイト８００の下方に配置され、第１縦枠８３０の第１下端８３２と、第２縦枠８４０の第２下端８４２とに接続される。
【００５７】
下枠８２０のｘ軸方向略中央部には、カウンターウエイト８００とオイルバッファ７００ｂとの間の距離を調節するカウンターウエイトスペーサー８７０が取り付けられている。
【００５８】
具体的には、下枠８２０は、第１下枠８２１と、
第１下枠８２１よりｙ軸正方向側に配置される第２下枠（図示しない）と、
第１下枠８２１と第２下枠（図示しない）との間に配置される底面部８２３と、を含む。
【００５９】
底面部８２３は、第１下枠８２１及び第２下枠（図示しない）の下部に配置される。底面部８２３には、カウンターウエイトスペーサー８７０が接続される。
【００６０】
第１縦枠８３０は、第２縦枠８４０よりｘ軸負方向側に配置され、ｚ軸正方向側に配置される第１上端８３１に上枠８１０が接続され、ｚ軸負方向側に配置される第１下端８３２に下枠８２０が接続されている。
【００６１】
第１縦枠８３０の第１上端８３１には、ガイド装置８８０である第１ガイド装置８８１が接続されている。
【００６２】
第１縦枠８３０の第１下端８３２には、ガイド装置８８０である第２ガイド装置８８２が接続されている。
【００６３】
第２縦枠８４０は、第１縦枠８３０よりｘ軸正方向側に配置され、ｚ軸正方向側に配置される第２上端８４１に上枠８１０が接続され、ｚ軸負方向側に配置される第２下端８４２に下枠８２０が接続されている。
【００６４】
第２縦枠８４０の第３上端８４１には、ガイド装置８８０である第３ガイド装置８８３が接続されている。
【００６５】
第２縦枠８４０の第２下端８４２には、ガイド装置８８０である第４ガイド装置８８４が接続されている。
【００６６】
第１縦枠８３０及び第２縦枠８４０は、ｘｙ平面視において、ｙ軸方向の両端がウエイト８５０側に突出する構造となっている（例えばＣ型鋼）。
【００６７】
このような構造により、ウエイト８５０は、第１縦枠８３０及び第２縦枠８４０により一部覆われており、外れ難くなっている。
【００６８】
上枠８１０、下枠８２０、第１縦枠８３０及び第２縦枠８４０で構成される錘枠内には、複数のウエイト８５０が設置されている。
【００６９】
ウエイト８５０の数は限定されない。また、ウエイト８５０は、厚み（ｚ軸方向の幅）や幅（ｘ軸方向、ｙ軸方向）、重量によっても限定されない。
【００７０】
本実施形態では、複数のウエイト８５０は、ウエイト８５０を固定する固定部材である第１固定部材８５８ａ及び第２固定部材８５８ｂに押さえられ固定されている。
【００７１】
第１固定部材８５８ａは、第１縦枠８３０側に配置されており、第１縦枠８３０に第１ブラケット８５９ａによって接続されている。
【００７２】
第２固定部材８５８ｂは、第２縦枠８４０側に配置されており、第２縦枠８４０に第２ブラケット８５９ｂによって接続されている。
【００７３】
具体的には、第１固定部材８５８ａは、第１ブラケット８５９ａに設けられた締結手段（溶接されたナット等）に締め込まれることにより、一端がウエイト８５０に当接し、ウエイト８５０を押さえている。
【００７４】
同様に、第２固定部材８５８ｂは、第２ブラケット８５９ｂに設けられた締結手段（溶接されたナット等）に締め込まれることにより、一端がウエイト８５０に当接し、ウエイト８５０を押さえている。
【００７５】
図４乃至図７に示すように、ウエイト８５０は、ｘ軸負方向側に配置される第１側面部８５１と、
ｘ軸正方向側に配置される第２側面部８５２と、
ｙ軸負方向側に配置される第３側面部８５３と、
ｙ軸正方向側に配置される第４側面部８５４と、
ｚ軸正方向側に配置される上面部８５５と、
ｚ軸負方向側に配置される下面部８５６と、を含む。
【００７６】
具体的には、ウエイト８５０は、ｘ軸方向両端の第１側面部８５１及び第２側面部８５２に配置される突出部である第１突出部８５１ａと第２突出部８５２ａと、
ｘ軸方向略中央部かつｙ軸方向両端の第３側面部８５３及び第４側面部８５４並びに上面部８５５に設けられる凸部である第１凸部８５５ａと第２凸部８５５ｂと、
下面部８５６で、かつ、第１凸部８５５ａと第２凸部８５５ｂのｚ軸負方向側に設けられる第１凹部８５６ａと第２凹部８５６ｂと、
下面部８５６に設けられ、フォークリフトの爪を挿入するための挿入部８５７である第１挿入部８５７ａと第２挿入部８５７ｂと、を含む。
【００７７】
つまり、第１側面部８５１は第１突出部８５１ａを含み、
第２側面部８５２は第２突出部８５２ａを含み、
上面部８５５は、第１凸部８５５ａ及び第２凸部８５５ｂを含み、
下面部８５６は、第１凹部８５６ａ及び第２凹部８５６ｂと、挿入部８５７とを含む。
【００７８】
第１突出部８５１ａ及び第２突出部８５２ａは、第１縦枠８３０及び第２縦枠８４０に挿入する部分である。
【００７９】
具体的には、第１突出部８５１ａは、第１側面部８５１に設けられており、第１縦枠８３０側に挿入される。
【００８０】
また、第２突出部８５２ａは、第２側面部８５２に設けられており、第２縦枠８４０側に挿入される。
【００８１】
第１突出部８５１ａ及び第２突出部８５２ａにより、ウエイト８５０は第１縦枠８３０及び第２縦枠８４０によって固定されるため、ｘｙ平面において位置ずれがしにくくなっている。
【００８２】
第１側面部８５１及び第１突起部８５１ａと、第１縦枠８３０との間のクリアランスは、Ｃ１ｍｍ設けられている。
【００８３】
第２側面部８５２及び第２突起部８５２ａと、第２縦枠８４０との間のクリアランスは、Ｃ２ｍｍ設けられている。
【００８４】
クリアランスＣ１＋Ｃ２ｍｍは一定であるが、ウエイト８５０が第１縦枠８３０と第２縦枠８４０との間でｘ軸方向の位置が微妙にずれることがあるため、Ｃ１ｍｍとＣ２ｍｍの長さは任意である。
【００８５】
第１凸部８５５ａ及び第２凸部８５５ｂは、ウエイト８５０を積み重ねたときにウエイト８５０同士の位置ずれがしにくいように設けられたものである。
【００８６】
第１凸部８５５ａは、ウエイト８５０の上面部８５５に設けられ、第３側面部８５３のｘ軸方向略中央部に配置されている。
【００８７】
第２凸部８５５ｂは、ウエイト８５０の上面部８５５に設けられ、第４側面部８５４のｘ軸方向略中央部に配置されている。
【００８８】
次に第１凸部８５５ａの具体的な構成について説明する。なお、第２凸部８５５ｂは、第１凸部８５５ａとｘｚ平面で対称な構造となっているため、説明を省略する。
【００８９】
第１凸部８５５ａは、ｘ軸負方向側は傾斜面となっている傾斜部である凸部第１側面部８５５ａ１と、
ｘ軸正方向側は傾斜面となっている傾斜部である凸部第２側面部８５５ａ２と、
ｙ軸負方向側で第３側面部８５３の一部である凸部第３側面部８５５ａ３と、
ｙ軸正方向側は傾斜面となっている傾斜部である凸部第４側面部８５５ａ４と、
ｚ軸正方向側の凸部上面部８５５ａ５と、を含む。
【００９０】
傾斜部である凸部第１側面部８５５ａ１は、ｚ軸正方向側に移るにつれてｘ軸正方向側に移る傾斜面である。
【００９１】
傾斜部である凸部第２側面部８５５ａ２は、ｚ軸正方向側に移るにつれてｘ軸負方向側に移る傾斜部である。
【００９２】
凸部第２側面部８５５ａ３は、第３側面部８５３の一部であるため、作業者は、ｙ軸方向から第１凸部８５５ａ（又は第２凸部８５５ｂ）を視認することができる。
【００９３】
傾斜部である凸部第４側面部８５５ａ４は、ｚ軸正方向側に移るにつれてｙ軸負方向側に移る傾斜面である。
【００９４】
なお、本実施形態では、凸部第１側面部８５５ａ１、凸部第２側面部８５５ａ２及び凸部第４側面部８５５ａ４のいずれもが傾斜面であるが、少なくともいずれかが傾斜面であればよい。
【００９５】
特に、凸部第１側面部８５５ａ１と、凸部第２側面部８５５ａ２とは、いずれか一方が傾斜面であればよい。
【００９６】
次に、第１凹部８５６ａ及び第２凹部８５６ｂは、別のウエイト８５０（直下に配置されるウエイト８５０）の第１凸部８５５ａ及び第２凸部８５５ｂがはめ込まれるところである。
【００９７】
具体的には、第１凹部８５６ａには、第１凸部８５５ａがはめ込まれる。第２凹部８５６ｂには、第２凸部８５５ｂがはめ込まれる。
【００９８】
第１凹部８５６ａは、ウエイト８５０の下面部８５６に設けられ、第３側面部８５３のｘ軸方向略中央部に配置されている。
【００９９】
第２凹部８５６ｂは、ウエイト８５０の下面部８５６に設けられ、第４側面部８５４のｘ軸方向略中央部に配置されている。
【０１００】
次に第１凹部８５６ａの具体的な構成について説明する。第２凹部８５６ｂは、第１凹部８５６ａとｘｚ平面で対称な構成であるため説明を省略する。
【０１０１】
第１凹部８５６ａの形状は、第１凸部８５５ａがはめ込まれる形状である。つまり、第１凹部８５６ａは、ｘ軸負方向側は傾斜面となっている傾斜部である凹部第１側面部８５６ａ１と、
ｘ軸正方向側は傾斜面となっている傾斜部である凹部第２側面部８５６ａ２と、
ｙ軸正方向側は傾斜面となっている傾斜部である凹部第４側面部８５６ａ４と、
ｚ軸正方向側の凹部上面部８５６ａ５と、を含む。
【０１０２】
傾斜部である凹部第１側面部８５６ａ１は、ｚ軸正方向側に移るにつれてｘ軸正方向側に移る傾斜面である。
【０１０３】
傾斜部である凹部第２側面部８５６ａ２は、ｚ軸正方向側に移るにつれてｘ軸負方向側に移る傾斜部である。
【０１０４】
傾斜部である凹部第４側面部８５６ａ４は、ｚ軸正方向側に移るにつれてｙ軸負方向側に移る傾斜面である。
【０１０５】
なお、本実施形態では、凹部第１側面部８５６ａ１、凹部第２側面部８５６ａ２及び凹部第４側面部８５６ａ４のいずれもが傾斜面であるが、少なくともいずれかが傾斜面であればよい。
【０１０６】
ただし、凸部第１側面部８５５ａ１、凸部第２側面部８５５ａ２及び凸部第４側面部８５５ａ４の形状と一致する必要がある。
【０１０７】
また、凹部第１側面部８５６ａ１と、凹部第２側面部８５６ａ２とは、いずれか一方が傾斜面であればよい。この場合も凸部第１側面部８５５ａ１及び凸部第２側面部８５５ａ２の形状と一致させる必要がある。
【０１０８】
第１凸部８５５ａ及び第２凸部８５５ｂ並びに第１凹部８５６ａ及び第２凹部８５６ｂの傾斜面の角度は任意である。
【０１０９】
傾斜面の水平面に対する角度（ｘｙ平面に対する角度）が４５°以上９０°より小さい場合、第１凸部８５５ａと第１凹部８５６ａの相対位置（第２凸部８５５ｂと第２凹部８５６ｂの相対位置）がずれた場合、すぐに元の位置に戻り易くなる。
【０１１０】
傾斜面の水平面に対する角度（ｘｙ平面に対する角度）が０°より大きく４５°以下の場合、作業者がウエイト同士の位置調整をする場合に、第１凸部８５５ａと第１凹部８５６ａとの相対位置（第２凸部８５５ｂと第２凹部８５６ｂとの相対位置）を合わせ易くなる。
【０１１１】
凸部第１側面部８５５ａ１と凹部第１側面部８５６ａ１との間のクリアランスは、Ｃ３ｍｍ設けられている。
【０１１２】
凸部第２側面部８５５ａ２と凹部第２側面部８５６ａ２との間のクリアランスは、Ｃ４ｍｍ設けられている。
【０１１３】
クリアランスＣ３＋Ｃ４ｍｍは一定であるが、第１凸部８５５ａと第１凹部８５６ａとの間でｘ軸方向の位置が微妙にずれることがあるため、Ｃ３ｍｍとＣ４ｍｍの長さは任意である。
【０１１４】
また、Ｃ３＋Ｃ４＜Ｃ１＋Ｃ２とすることにより、ウエイト８５０が１箇所で位置ずれが生じた場合であっても、ウエイト８５０は第１縦枠８３０又は第２縦枠８４０に接触しないため、クリアランスの大きさはＣ３＋Ｃ４＜Ｃ１＋Ｃ２とするのが好ましい。
【０１１５】
作業者は、ｙ軸負方向側から第１凸部８５５ａ及び第１凹部８５６ａを視認することができるため、第１凸部８５５ａと第１凹部８５６ａとの係合が位置ずれしていないか容易に確認することができる。
【０１１６】
同様に、作業者は、ｙ軸正方向側から第２凸部８５５ｂ及び第２凹部８５６ｂを視認することができるため、第２凸部８５５ｂと第２凹部８５６ｂとの係合が位置ずれしていないか容易に確認することができる。
【０１１７】
そのため、作業者は、複数積層されているウエイト８５０の相対的な位置の確認が容易となり、作業工程が少なくて済む。
【０１１８】
また、２つのウエイト８５０において、上側のウエイト８５０を上ウエイト８５０Ａ、下側のウエイト８５０を下ウエイト８５０Ｂとした場合、ｚ軸負方向側に配置されている下ウエイト８５０Ｂの第１凸部８５５ａ及び第２凸部８５５ｂが、ｚ軸正方向側に配置されている上ウエイト８５０Ａの第１凹部８５６ａ及び第２凹部８５６ｂに嵌っている。
【０１１９】
そのため、例えば地震等によって上ウエイト８５０Ａと下ウエイト８５０Ｂの相対的な位置がｘ軸方向にずれた場合、上ウエイト８５０Ａの凹部第１側面部８５６ａ１（８５６ｂ１）及び凹部第２側面部８５６ａ２（８５６ｂ２）、並びに、下ウエイト８５０Ｂの凸部第１側面部８５５ａ１（８５５ｂ１）及び凸部第２側面部８５５ａ２（８５５ｂ２）が斜面になっているため、上ウエイト８５０Ａの自重によって、上ウエイト８５０Ａと下ウエイト８５０Ｂの相対的な位置がもとの位置に戻る。
【０１２０】
また、上ウエイト８５０Ａの自重によって上ウエイト８５０Ａと下ウエイト８５０ｂの相対的な位置が戻らなくても、作業者は容易に元の位置にウエイト８５０を戻すことができる。
【０１２１】
また、例えば地震等によって上ウエイト８５０Ａと下ウエイト８５０Ｂの相対的な位置がｙ軸方向にずれた場合、上ウエイト８５０Ａの凹部第４側面部８５６ａ４（８５６ｂ４）及び下ウエイト８５０Ｂの凸部第４側面部８５５ａ４（８５５ｂ４）が斜面になっているため、上ウエイト８５０Ａの自重によって、上ウエイト８５０Ａと下ウエイト８５０Ｂの相対的な位置がもとの位置に戻る。
【０１２２】
また、上ウエイト８５０Ａの自重によって上ウエイト８５０Ａと下ウエイト８５０ｂの相対的な位置が戻らなくても、作業者は容易に元の位置にウエイト８５０を戻すことができる。
【０１２３】
なお、本実施形態では、凸部及び凹部が２箇所設けられた構成であるが、凸部及び凹部の少なくとも一方が、第３側面部８５３から第４側面部８５４まで繋げた構成であってもよい。
【０１２４】
つまり、凸部及び凹部の少なくとも一方が１箇所だけ設けられる構成であってもよい。このようなものであっても本実施形態と同様の効果を奏する。
【０１２５】
また、ウエイト８５０の上面部８５５に第１凸部８５５ａ及び第２凸部８５５ｂを有し、下面部８５６に第１凹部８５６ａ及び第２凹部８５６ｂを有する場合、各々の凸部間又は凹部間に設置可能な幅を有する調整ウエイト（図示しない）を載置することができる。
【０１２６】
これにより、ウエイト８５０が所望の重量に満たない場合等、重量の調整を容易にすることができる。
【０１２７】
挿入部８５７は、フォークリフトの爪を挿入する部分である。挿入部８５７は、第１挿入部８５７ａと第２挿入部８５７ｂとを含む。第１挿入部８５７ａは、第２挿入部８５７ｂよりｘ軸負方向側に配置される。
【０１２８】
カウンターウエイトシーブ８６０は、メインロープ２２０が走行するシーブである。メインロープ２２０がカウンターウエイトシーブ８６０上を走行することにより、カウンターウエイト８００が上下動する。
【０１２９】
カウンターウエイトシーブ８６０は、ｘｚ平面視で円状であり、中心部には軸８６１を有する。
【０１３０】
軸８６１は、第１上枠８１１及び第２上枠（図示しない）に対して、カウンターウエイトシーブ８６０が回転可能に接続されている。軸８６１を中心にカウンターウエイトシーブ８６０は回転する。
【０１３１】
カウンターウエイトスペーサー８７０は、下枠８２０に取り付けられている。具体的には、カウンターウエイトスペーサー８７０は、下枠８２０の底面部８２３に接続されている。
【０１３２】
本実施形態では、カウンターウエイトスペーサー８７０の個数は１であるが、複数取り付けられてもよい。
【０１３３】
ガイド装置８８０は、カウンターウエイト８００がカウンターウエイトガイドレール２４２に沿って移動するためのものである。
【０１３４】
第１縦枠８３０には、第１上端８３１にガイド装置８８０である第１ガイド装置８８１が、第１下端８３２にガイド装置８８０である第２ガイド装置８８２が取り付けられている。
【０１３５】
第２縦枠８４０には、第２上端８４１にガイド装置８８０である第３ガイド装置８８３が、第２下端８４２にガイド装置８８０である第４ガイド装置８８４が取り付けられている。
【０１３６】
本発明は、その趣旨を逸脱しない範囲で種々の改良、修正、又は変形を加えた態様でも実施できる。
【０１３７】
例えば、本実施形態では、ウエイト８５０の上面部８５５に第１凸部８５５ａ及び第２凸部８５５ｂを有し、下面部８５６に第１凹部８５６ａ及び第２凹部８５６ｂを有しているが、上面部８５５に凹部、下面部８５６に凸部を有するような構成であってもよい。
【０１３８】
また、本実施形態では、ウエイト８５０には、凸部及び凹部がそれぞれ２箇所設けられていたが、３箇所以上設けられる構成であってもよい。
【符号の説明】
【０１３９】
１００…エレベータ
２００…巻上機
２３０…かご
２４２…カウンターウエイトガイドレール
３００…ガイドレール
４００…調速機
５００…テンションシーブ
６００…ガバナロープ
７００…オイルバッファ
８００…カウンターウエイト
８１０…上枠
８２０…下枠
８３０…第１縦枠
８４０…第２縦枠
８５０…ウエイト
８５１…第１側面部
８５２…第２側面部
８５３…第３側面部
８５４…第４側面部
８５５…上面部
８５５ａ…第１凸部
８５５ｂ…第２凸部
８５６…下面部
８５６ａ…第１凹部
８５６ｂ…第２凹部
８６０…カウンターウエイトシーブ
８７０…バッファー
８８０…ガイド装置
８９０…ストッパー
【図１】
2019196236.tif 000003
【図２】
2019196236.tif 000004
【図３】
2019196236.tif 000005
【図４】
2019196236.tif 000006
【図５】
2019196236.tif 000007
【図６】
2019196236.tif 000008
【図７】
2019196236.tif 000009